(57)【要約】【課題】  特別な装置を身に付けることなく自分の携帯端末装置に対する着信を知ることができる携帯端末装置を提供する。【解決手段】  着信を受けると所定の報知パターンを含む信号を送信する送信手段と、他の携帯電話端末より報知パターンを含む信号を受信する受信手段と、受信した報知パターンを含む信号に基づいて報知動作を行う報知手段とを備える。【選択図】    図１
2005277707.tif 000002
【特許請求の範囲】
【請求項１】
着信を受けると所定の報知パターンを含む信号を送信する送信手段と、
他の携帯電話端末より報知パターンを含む信号を受信する受信手段と、
受信した報知パターンを含む信号に基づいて報知動作を行う報知手段と
を備えたことを特徴とする携帯端末装置。
【請求項２】
前記報知パターンは、携帯端末装置特有のパターンであることを特徴とする請求項１に記載の携帯端末装置。
【請求項３】
前記報知手段は、前記報知パターンを発光する光の変化によって表現することを特徴とする請求項１または２に記載の携帯端末装置。
【請求項４】
前記送信手段及び受信手段は、近距離無線通信を用いて前記報知パターンを含む信号の送受信を行うことを特徴とする請求項１から３のいずれかに記載の携帯端末装置。
【請求項５】
報知パターンを含む信号の送受信を行う通信手段を備えた携帯端末装置における着信報知方法であって、
着信を検知した携帯端末装置が、予め記憶しておいた報知パターンデータを読み出し、この報知パターンを含む信号を生成し、前記通信手段によって周囲に存在する他の携帯端末装置に対して該報知パターンを含む信号を送信する過程と、
着信を報知する他の携帯端末装置が、前記通信手段を介して前記報知パターンを含む信号を受信すると、受信した報知パターンを含む信号に基づいて着信を知らせる報知動作を行うことを特徴とする着信報知方法。
【発明の詳細な説明】
【技術分野】
【０００１】
本発明は、着信があったことを他の機器を通じて伝える携帯端末装置に関する。
【背景技術】
【０００２】
従来から、確実に着信があったことを知るために、着信呼を受信すると近距離用無線を使用して、この着信呼を情報処理装置へ送信し、情報処理装置に備えられた表示部に着信があった旨を示すメッセージを表示する通信端末装置が知られている（例えば、特許文献１参照）。
また、携帯端末装置をかばんの中にしまっておいたり机の上に置いたりした場合に、着信を知ることができないという問題を解決するために、携帯電話機は、電話を着信すると、この着信情報を近距離無線通信を使用して情報通信装置へ送信し、情報通信装置に備えられた通知部から携帯電話機の使用者に対して、着信の通知を行う装置が知られている（例えば、特許文献２参照）。
【特許文献１】特開２００１−１５６９０６号公報
【特許文献２】特開２００２−１３５３６７号公報
【発明の開示】
【発明が解決しようとする課題】
【０００３】
しかしながら、特許文献１、２に示す装置にあっては、着信時に着信があったことを伝える装置を携帯電話機とは別に購入して常に携帯しなければならないという問題がある。また、特許文献１の装置は、着信を伝える方法が、メッセージ表示であるために、着信を伝える装置の表示部が使用者の視野内になければならないという問題がある。
【０００４】
本発明は、このような事情に鑑みてなされたもので、特別な装置を身に付けることなく自分の携帯端末装置に対する着信を知ることができる携帯端末装置を提供することを目的とする。
【課題を解決するための手段】
【０００５】
請求項１に記載の発明は、着信を受けると所定の報知パターンを含む信号を送信する送信手段と、他の携帯電話端末より報知パターンを含む信号を受信する受信手段と、受信した報知パターンを含む信号に基づいて報知動作を行う報知手段とを備えたことを特徴とする。
【０００６】
請求項２に記載の発明は、前記報知パターンは、携帯端末装置特有のパターンであることを特徴とする
【０００７】
請求項３に記載の発明は、前記報知手段は、前記報知パターンを発光する光の変化によって表現することを特徴とする。
【０００８】
請求項４に記載の発明は、前記送信手段と受信手段は、近距離無線通信を用いて前記報知パターンを含む信号の送受信を行うことを特徴とする。
【０００９】
請求項５に記載の発明は、報知パターンを含む信号の送受信を行う通信手段を備えた携帯端末装置における着信報知方法であって、着信を検知した携帯端末装置が、予め記憶しておいた報知パターンデータを読み出し、この報知パターンを含む信号を生成し、前記通信手段によって周囲に存在する他の携帯端末装置に対して該報知パターンを含む信号を送信する過程と、着信を報知する他の携帯端末装置が、前記通信手段を介して前記報知パターンを含む信号を受信すると、受信した報知パターンを含む信号に基づいて着信を知らせる報知動作を行うことを特徴とする。
【発明の効果】
【００１０】
本発明によれば、着信を検知した携帯端末装置が、他の携帯端末装置に対して所定の報知パターンを含む信号を送信し、着信を報知する他の携帯端末装置が、受信した報知パターンを含む信号に基づいて着信を知らせる報知動作を行うようにしたため、周囲にいる人が携帯している携帯端末装置を介して、自分に対する着信があったことを知ることができるという効果が得られる。また、他の携帯端末装置によって着信の報知を行うようにしたため、特別な装置を身に付けることなく自分の携帯端末装置に対する着信を確実に知ることができるという効果が得られる。
【発明を実施するための最良の形態】
【００１１】
以下、本発明の一実施形態による携帯端末装置を図面を参照して説明する。図１は同実施形態の構成を示すブロック図である。この図において、符号１は、携帯端末装置の動作を統括するＣＰＵである。符号２は、携帯端末装置を動作させるための通信プログラム等が記憶されたＲＯＭである。符号３は、携帯端末装置の使用者特有の報知パターンデータや使用者が任意に機能設定した設定情報などを記憶するＲＡＭである。符号４は、ダイヤルキーやファンクションキー等で構成される入力部である。符号５は、液晶のディスプレイ等で構成される表示部である。符号６は、図示しない基地局との間で無線による通信を確立して通信を行う通信部である。符号７は、携帯端末装置を使用して、通話する場合の音声処理を行う音声処理部であり、通信部６において受信した通話音声信号をスピーカ８より発音させ、マイク９において集音した通話音声を信号に変換して、通信部６を介して送信する。符号１０は、着信メロディ等の楽音を発生させる音源であり、発生させた楽音を着信音スピーカ１１から発音させる。符号１２は、着信を振動で伝えるバイブレータである。符号１３は、ブルートゥース（Bluetooth：登録商標）などの周囲にある携帯端末装置との間で通信を行う近距離無線通信部である。符号１４は、他の携帯端末装置の着信をＬＥＤを発光させることによって報知するＬＥＤ表示部である。
【００１２】
次に、図２を参照して、図１に示す携帯端末装置の動作を説明する。初めに、図１に示す携帯端末装置において、使用者が予め操作しておく内容について説明する。まず、使用者は、着信を知らせる方法を入力部４を操作して設定する。ここでは、音源１０が発する着信音を着信音スピーカ１１から発音させるか、バイブレータ１２によって振動を発生させるかのいずれかを選択する。これを受けて、ＣＰＵ１は、入力部４における操作内容を読み取り、ここで選択された方法を識別可能な着信通知識別情報（例えば、着信音の場合は「１」、振動発生の場合は「２」など）をＲＡＭ３へ記憶する。
【００１３】
また、使用者は、着信時に他の携帯端末装置に対して着信を報知する信号の送信を行うか否かと、他の携帯端末装置から着信を報知する信号を受信した場合に報知動作を行うか否かを入力部４を操作して設定する。これを受けて、ＣＰＵ１は、入力部４における操作内容を読み取り、ここで設定された報知設定情報（例えば、信号送信する場合は「３」、信号送信しない場合は「４」、報知動作を行う場合は「５」、報知動作を行わない場合は「６」など）をＲＡＭ３へ記憶する。そして、ＣＰＵ１は、設定内容が、「信号送信する」設定であれば、表示部５に対して、報知パターンの設定指示メッセージを表示する。これに対して、使用者は、入力部４を操作して報知パターンを入力する。報知パターンは、ＬＥＤ表示部１４の点灯と消灯の時間に相当する数値を入力部４から入力することによってパターンの設定を行う。
【００１４】
例えば、ＬＥＤ表示部１４が１個のＬＥＤで構成されている場合、図３の（ａ）に示すように、入力部４より「２１２１２３」と入力すると、「２」に相当する時間点灯、「１」に相当する時間消灯、「２」に相当する時間点灯、「１」に相当する時間消灯、「２」に相当する時間点灯、「３」に相当する時間消灯する報知パターンとなる。ここで、点灯または消灯時間の単位は、携帯端末装置内において予め決められた単位であり、例えば、単位時間が「１秒」である場合、２秒点灯、１秒消灯、…、３秒消灯となる。また、ＬＥＤ表示部１４が３個のＬＥＤ（Ｒ：赤、Ｇ：緑、Ｂ：青）で構成されている場合、個々の点灯・消灯時間に相当する数値を、図３の（ｂ）のように設定する。このとき、２つまたは３つのＬＥＤを同時に点灯するように設定すれば、中間色の表現も可能である。
【００１５】
ここで入力部４より入力された報知パターンは、ＣＰＵ１が読み取り、読み取った報知パターンデータ（例えば「２１２１２３」）をＲＡＭ３に記憶する。この操作によって、ＲＡＭ３には、着信通知識別情報、報知設定情報、必要に応じて報知パターンデータが記憶されたこととなる。
【００１６】
次に、図２を参照して、図１に示す携帯端末装置における着信時の動作を説明する。図２は、図１に示す携帯端末装置における着信時の動作を示すフローチャートである。ここでは、図１に示す携帯端末装置が現時点で着信待ち状態であるものとして説明する。初めに、着信した携帯端末装置の着信時における動作を説明する。
まず、通信部６は、着信があったか否かを判定し（ステップＳ１）、着信があった場合、着信があったことをＣＰＵ１へ通知する。これを受けて、ＣＰＵ１は、ＲＡＭ３に記憶されている着信通知識別情報を読み出し、設定されている方法で着信を知らせる（ステップＳ２）。着信通知識別情報に着信音が設定されている場合、ＣＰＵ１は、音源１０に対して、着信音の発音を指示する。これにより、着信音スピーカ１１から着信音が発音する。一方、振動が設定されている場合、ＣＰＵ１は、バイブレータ１２に対して振動開始を指示する。これにより、バイブレータ１２が振動を発生する。
【００１７】
続いて、ＣＰＵ１は、入力部４においてオフフック操作がなされたか否かを検出し、オフフック操作がなされた場合、ＣＰＵ１は、音声処理部７に対して、通話処理開始を指示する（ステップＳ７）。これにより、携帯端末装置は通話可能状態となる。
【００１８】
一方、オフフック操作がなされない場合、ＣＰＵ１は、予め決められている設定時間（例えば、５秒）だけ待機し（ステップＳ４）、設定時間経過後、ＣＰＵ１は、ＲＡＭ３より、報知設定情報を読み出す。そして、着信を報知する信号を送信することが設定されていれば、ＣＰＵ１は、ＲＡＭ３より報知パターンデータを読み出し、この報知パターンデータを含む報知信号を生成し、生成した報知信号を近距離無線通信部１３に対して出力する。これを受けて、近距離無線通信部１３は、この報知信号を１つの送信周波数を使用して、周囲の携帯端末装置に対して送信する（ステップＳ５）。この動作は、着信している間であり、かつオフフックされていない間は続行する（ステップＳ６）。そして、オフフックされた場合は、通話処理（ステップＳ７）へ移行する。また、着信を報知する信号を送信することが設定されていない場合は、設定されている方法で着信を知らせる動作が続行するのみである。
【００１９】
次に、着信した携帯端末装置の周囲に存在する携帯端末装置の動作を説明する。まず、着信していない状態において、ＣＰＵ１は、ＲＡＭ３より報知設定情報を読み出し、報知動作が設定されているか否かを判定する（ステップＳ８）。そして、報知動作が設定されている場合、ＣＰＵ１は、近距離無線通信部１３において、報知信号受信があったか否かを判定する（ステップＳ９）。
【００２０】
この判定の結果、報知動作が設定されており、かつ近距離無線通信部１３において報知信号受信があった場合、ＣＰＵ１は、近距離無線通信部１３において受信した報知信号に含まれる報知パターンデータを抽出して、報知パターンを復元する（ステップＳ１０）。そして、ＣＰＵ１は、抽出した報知パターンデータの数値と単位時間（ここでは、１秒）を乗算して、パルス幅（点灯・消灯時間に相当）を求め、求めたパルス幅のパルス信号をＬＥＤ表示部１４へ出力する。このパルス信号に基づいて、ＬＥＤ表示部１４のＬＥＤが予め設定した報知パターンで発光する。これにより、周囲に対して着信があったことを報知する（ステップＳ１１）ことになり、着信した携帯端末装置の使用者は、発光パターンが自分が設定した報知パターンであれば自分の携帯端末装置に着信があったことを知ることになる。この動作は、近距離無線通信部１３において、報知信号が受信されている間だけ続行する（ステップＳ１２）。
【００２１】
このように、自分の携帯端末装置がかばん等の中にあるような場合であっても、周囲の携帯端末装置に対して、着信を知らせる報知信号を送信し、この報知信号を受信した携帯端末装置に備えられたＬＥＤ表示部１４が特定の報知パターンで発光するため、この発光パターンが自分の設定した報知パターンであることを認識することにより、自分の携帯端末装置に対する着信があったことを知ることができる。また、携帯端末装置を首からぶら下げたり、胸のポケットに入れられていることが多い場合などにおいては、自分に対する着信があったことに気付きやすくすることが可能となる。
【００２２】
なお、周囲に存在する携帯端末装置においては、報知動作が設定されていない場合と、発信・着信状態、通話状態である場合は、何の動作も行わなず、現時点の状態が続行する。また、他の携帯端末装置の着信報知中に、使用者によって何らかの操作が行われた場合は、着信報知動作を中止し、操作に基づく動作が優先する。また、携帯端末装置を駆動する電池の残容量が少ない場合は、報知動作を行わない設定に自動的に切り替えるようにしてもよい。
また、この着信報知方法は、報知信号の送信する先を制限するなどして、特定の複数の携帯端末装置の中だけで用いられるようにしてもよい。数人のグループで行動する場合などは、グループ外の人の携帯端末装置を使用することなく着信報知が可能となる。
【００２３】
また、報知パターンは、携帯端末装置に予め付与されている個体番号や携帯端末装置に付与された電話番号に基づいて生成した報知パターンを携帯端末装置内のＲＯＭ２内に予め記憶しておき、着信時にＲＯＭ２から報知パターンを読み出して報知信号を生成するようにしてもよい。
【００２４】
また、図１における処理部の機能を実現するためのプログラムをコンピュータ読み取り可能な記録媒体に記録して、この記録媒体に記録されたプログラムをコンピュータシステムに読み込ませ、実行することにより着信報知処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２６】
【図１】本発明の一実施形態の構成を示すブロック図である。
【図２】図１に示す装置の動作を示すフローチャートである。
【図３】報知（発光）パターンの一例を示す説明図である。
【符号の説明】
【００２７】
１・・・ＣＰＵ、２・・・ＲＯＭ、３・・・ＲＡＭ、４・・・入力部、５・・・表示部、６・・・通信部、７・・・音声処理部、８・・・スピーカ、９・・・マイク、１０・・・音源、１１・・・着信音スピーカ、１２・・・バイブレータ、１３・・・近距離無線通信部、１４・・・ＬＥＤ
【図１】
2005277707.tif 000003
【図２】
2005277707.tif 000004
【図３】
2005277707.tif 000005